(57)【特許請求の範囲】
【請求項１】
写真フィルムに対して磁気情報の読み取り又は書き込みを行うための磁気ヘッドを支持するヘッドユニットと、
前記磁気ヘッドに対して写真フィルムの磁気記録面を押圧する押圧部材を支持する押圧ユニットとを備え、
前記押圧部材が前記磁気ヘッドに対して接触可能な第１状態と、
前記押圧部材が前記磁気ヘッドに対して離間する第２状態とを切り替え可能にすべく、前記ヘッドユニットを前記押圧ユニットに設けられた支持軸回りに回動可能に支持し、この支持軸回りでの回動により、前記ヘッドユニットと前記押圧ユニットとの相対位置関係を変更可能に構成したことを特徴とする写真フィルム用の磁気ヘッドの取付構造。
【請求項２】
前記ヘッドユニットと前記押圧ユニットとを前記第１状態に保持するための保持部材を設け、この保持部材を操作することにより前記第１状態と前記第２状態とを切り替え可能にしたことを特徴とする請求項１に記載の写真フィルム用の磁気ヘッドの取付構造。
【請求項３】
前記保持部材は前記ヘッドユニットに固定される固定部と、前記押圧ユニットに係合する係合部と、固定部と係合部を連結する弾性変形可能な変形部とを備えている請求項２に記載の写真フィルム用の磁気ヘッドの取付構造。
【請求項４】
前記ヘッドユニットは磁気ヘッドが写真フィルムの搬送経路に面する第１位置と、前記搬送経路から離間する第２位置との間を移動可能に構成されていることを特徴とする請求項１〜３のいずれかに記載の写真フィルム用の磁気ヘッドの取付構造。
【請求項５】
前記ヘッドユニットは前記押圧ユニットと結合した前記第１状態のままで、前記第１位置から前記第２位置へと移動可能に構成されていることを特徴とする請求項４に記載の写真フィルム用の磁気ヘッドの取付構造。
【請求項６】
前記ヘッドユニットを前記第１位置と前記第２位置との双方で固定可能なヘッドユニット固定部材を設けたことを特徴とする請求項４又は５に記載の写真フィルム用の磁気ヘッドの取付構造。
【請求項７】
前記ヘッドユニットは写真フィルムの搬送方向と直交する方向に沿って一対設けられるとともに、これら一対のヘッドユニットを取り付ける取付部材が設けられ、この取付部材を介して前記ヘッドユニットがヘッドユニット固定部材に固定されることを特徴とする請求項６に記載の写真フィルム用の磁気ヘッドの取付構造。
【請求項８】
前記ヘッドユニットには読み取り用の磁気ヘッドと書込み用の磁気ヘッドが取り付けられることを特徴とする請求項１〜７のいずれかに記載の写真フィルム用の磁気ヘッドの取付構造。
【発明の詳細な説明】
【０００１】
【発明の属する技術分野】
本発明は、写真フィルム用の磁気ヘッドの取付構造に関し、詳しくは磁気ヘッドのクリーニング作業を行い易くするための磁気ヘッドの取付構造に関する。
【０００２】
【従来の技術】
写真露光装置において写真フィルムを処理するときにフィルム搬送ユニットが一般的に用いられている。この搬送ユニットには、フィルムを搬送させるための搬送経路、フィルムの画像コマが位置決めされる開口部等が備えられている。そして、先進写真システムに代表される磁気記録部を有するフィルムの場合には磁気データの読み取りや書込みを行うための磁気ヘッド装置が更に備えられている。
かかる写真フィルム用の磁気ヘッド装置としては、例えば米国特許第５，２８５，３２４号に開示されるものがある。この装置は磁気読み取り、又は／及び、書込みを行うエレメント18が取り付けられたハウジング14と、フィルム12をエレメント18に押圧させる可撓性プレート16と弾力パッド22とが設けられたマウントブロック24と、負荷スプリング30と、ハウジング14とマウントブロック24とが取り付けられる支持プレート28とを備えている。
【０００３】
【発明が解決しようとする課題】
ところで、磁気記録部を備えた写真フィルムの場合には、写真フィルムを搬送させているうちに、磁気層や、その磁気層を保護するための保護層が剥離し、これが磁気ヘッドに付着してしまい磁気ヘッドによる読取りや書込みの精度が低下してしまうと言う問題が生じる。
このため、フィルムと類似の形状に形成されたクリーニングリーダを搬送経路に沿って搬送させて、磁気ヘッドのクリーニングを定期的に行っている。
特に、汚れが多くなった場合に磁気ヘッドをアルコール等を浸した綿棒などでクリーニングする必要があるが、上述した従来技術の場合には、磁気ヘッド（エレメント18）をクリーニングするには可撓性プレート16と弾力パッド22がじゃまになるので、ハウジング14かマウントブロック24を支持プレート28から取り外す必要があり、きわめて面倒であった。ユーザーにおいてこのような面倒な作業を行うと、リード線を切断してしまうと言う危険性もあった。従って、ユーザーサイドにおいては磁気ヘッドの汚れが多くなった場合には、事実上対策ができないと言う問題点があった。
【０００４】
本発明は上記実情に鑑みて為されたものであり、その目的は、クリーニング作業を行い易い写真フィルム用の磁気ヘッドの取付構造を提供することである。詳しくは、磁気ヘッドの汚れが多くなった場合、綿棒等によるクリーニングを簡単に行える写真フィルム用の磁気ヘッドの取付構造を提供することである。
【０００５】
【課題を解決するための手段】
上記目的を達成するため、本発明に係る写真フィルム用の磁気ヘッドの取付構造は、
写真フィルムに対して磁気情報の読み取り又は書き込みを行うための磁気ヘッドを支持するヘッドユニットと、
前記磁気ヘッドに対して写真フィルムの磁気記録面を押圧する押圧部材を支持する押圧ユニットとを備え、
前記押圧部材が前記磁気ヘッドに対して接触可能な第１状態と、前記押圧部材が前記磁気ヘッドに対して離間する第２状態とを切り替え可能にすべく、前記ヘッドユニットを前記押圧ユニットに設けられた支持軸回りに回動可能に支持し、この支持軸回りでの回動により、前記ヘッドユニットと前記押圧ユニットとの相対位置関係を変更可能に構成したことを特徴とするものである。
【０００６】
これによると、第１状態はフィルムを通過させて磁気ヘッドによる読み取りや書込みのできる状態である。また、この第１状態では押圧部材が磁気ヘッドに対して接触しようとする状態であるから、綿棒などによるクリーニングはできない。綿棒によるクリーニングを行うには、ヘッドユニットと押圧ユニットとの相対位置関係を第１状態から第２状態へと切り替えればよい。この第２状態では、磁気ヘッドが押圧部材から離間しており、磁気ヘッドをクリーニングする際に押圧部材がじゃまにならないようにでき、クリーニング作業を楽に行える。
また、本発明の構成では、磁気ヘッドや押圧部材がユニット化されているので、ヘッドユニットと押圧ユニットとの相対位置関係の変更も支持軸回りでの回動によって簡単に行うことが可能である。
その結果、磁気ヘッドの汚れが多くなった場合、綿棒等によるクリーニングを簡単に行える写真フィルム用の磁気ヘッドの取付構造を提供することができた。
【０００７】
上述した前記第１状態と前記第２状態とを切り替え可能にするための構成として、前記ヘッドユニットと前記押圧ユニットとを前記第１状態に保持するための保持部材を設け、この保持部材を操作することにより切り替えを行うことができる。
これによると、保持部材を操作して、前記ヘッドユニットと前記押圧ユニットとを保持状態から保持解除状態にし、その後、第２状態へと切り替えることができる。つまり、保持部材を操作すると言う簡単な操作により、第２状態への切り替えができ、その結果、磁気ヘッドの綿棒などによるクリーニングが行えるようになった。
【０００８】
又、保持部材の構成として、前記ヘッドユニットに固定される固定部と、前記押圧ユニットに係合する係合部と、固定部と係合部を連結する弾性変形可能な変形部とを備えているものがあげられる。
これによれば、通常はヘッドユニットと押圧ユニットとは保持部材により係合しており、これにより第１状態が保持されている。次に、係合部を操作して両ユニットを非係合状態にすることにより、第１状態から第２状態へと切り替えることができる。特に、固定部と係合部を連結する弾性変形可能な変形部とを備えているので、係合部を操作する際に変形部が変形するので、簡単に係合状態から非係合状態へとすることができる。更に、保持部材をヘッドユニットに固定しているので、クリーニング作業をするときに保持部材を紛失してしまうと言うことが無い。
【０００９】
本発明の実施形態として、前記ヘッドユニットは磁気ヘッドが写真フィルムの搬送経路に面する第１位置と、前記搬送経路から離間する第２位置との間を移動可能に構成されていることが好ましい。
ヘッドユニットと押圧ユニットとの相対位置関係を変更するにあたり、磁気ヘッドを写真フィルムの搬送経路から離間させるようにした方が、綿棒などによるクリーニングを行いやすい。
【００１０】
本発明の実施形態として、前記ヘッドユニットは前記押圧ユニットと結合した前記第１状態のままで、前記第１位置から前記第２位置へと移動可能に構成されているものが好ましい。
つまり、両ユニットの相対位置関係を変更する前に、まず、両ユニットを結合したまま第１位置から第２位置へと移動させる。そして、この第２位置において両ユニットの相対位置関係を第１状態から第２状態へと変更するのである。従って、まず、磁気ヘッドを写真フィルムの搬送経路から離間させてから、磁気ヘッドを押圧部材から離間するようにしており、クリーニング作業を行い易い構成とすることができた。
【００１１】
本発明の実施形態として、前記ヘッドユニットを前記第１位置と前記第２位置との双方で固定可能なヘッドユニット固定部材を設けたものがあげられる。
これによると、第１位置においてヘッドユニットが固定された状態では、写真フィルムを搬送させてフィルム面上の磁気データの読み取りと書き込みを安定して行うことができる。また、第２位置においてもヘッドユニットを固定できるから、ヘッドユニットを手で支えておくなどの手間が不要であり、綿棒などによるクリーニング作業を安定して行うことができる。
【００１３】
更に、本発明の実施形態として、前記ヘッドユニットは写真フィルムの搬送方向と直交する方向に沿って一対設けられるとともに、これら一対のヘッドユニットを取り付ける取付部材が設けられ、この取付部材を介して前記ヘッドユニットがヘッドユニット固定部材に固定されるようにするのが好ましい。
先進写真システムの写真フィルムの磁気トラックは、規格によると画像領域の両側であって、搬送方向と直交する方向に沿って一対設けられている。これによると、磁気トラックの配置に合わせてヘッドユニットが一対設けられており、しかも、この一対のヘッドユニットが共通の取付部材に取り付けられている。従って、一対のヘッドユニットを同時に第１状態から第２状態へと切り替えることができるので便利である。更に、一対のヘッドユニット同士の相対位置精度を出し易くなると言う利点もある。
【００１４】
更に、磁気ヘッドの構成として、前記ヘッドユニットには読み取り用の磁気ヘッドと書き込み用の磁気ヘッドが取り付けられるようにすることもできる。
これによると、読み取り用磁気ヘッドと書き込み用磁気ヘッドとの相対位置精度を出し易くなる。もちろん、上述したように、読み取り用磁気ヘッドと書き込み用磁気ヘッドとを同時に第１状態から第２状態へと切り替えることができるので便利である。
【００１５】
本発明のその他の特徴と利点は、以下の図面を用いた実施形態の説明から明らかにされるだろう。
【００１６】
【発明の実施の形態】
本発明の好ましい実施形態を、図を基に説明する。
写真焼付装置１は、図１に示すように、写真フィルム（以下、単にフィルムという。）２の画像情報を印画紙３に投影露光する露光部１３と、露光済の印画紙３を現像する現像処理部１４と、各部の作動を制御するコントローラ１５とからなる。コントローラ１５には各種の制御指示を入力するための操作卓１６と不図示のスキャナ部にて読み取った画像情報等を表示するモニタ１７とが接続されている。
【００１７】
焼き付けようとするフィルム２が、露光部１３に挿入されると、フィルム２の画像情報を各駒毎に読み取り、その画像情報はコントローラ１５に送られる。コントローラ１５は、読み取られたフィルム２の画像情報に基づいて、各駒毎の露光条件を決定する。そして、その決定した露光条件によって印画紙３に投影露光した際に得られるであろう画像をシミュレートしてモニタ１７に表示する。
【００１８】
写真焼付装置１の操作者は、モニタ１７の表示をみて、適正な画像が得られていなければ、操作卓１６から決定した露光条件の修正指示を入力でき、コントローラ１５は、その修正指示に基づいて露光条件を修正して最終的な露光条件を決定する。そしてその決定した露光条件に基づいて、露光部１３の各部の作動を制御して、印画紙マガジン４から引き出された印画紙３にフィルム２の画像情報を投影露光する。
露光の終了した印画紙３は、現像処理部１４に搬送されて現像処理され、フィルム２の各駒に対応して一枚づつ切断した状態で排出される。
【００１９】
以下、各部の構成について説明する。
露光部１３には、フィルム２の搬送及び位置決めをするフィルム搬送ユニット５、露光用光源６、露光用光路に黄、マゼンタ、シアンの各フィルタが出退することにより露光用光源６からの照射光の色バランスを調整する調光フィルタ７、調光フィルタ７にて色バランスを調整した光を均一に混色するミラートンネル８、フィルム２の画像情報を印画紙３上に結像する焼付用レンズ９、シャッター１０、印画紙３を搬送する搬送ローラ１１、及び、搬送ローラ１１を駆動するモータ１２が備えられている。
調光フィルタ７及びシャッター１０はコントローラ１５に制御され、コントローラ１５が決定した露光条件に応じて、調光フィルタ７の各フィルタの位置、及び、シャッター１０の開放時間つまり露光時間が制御される。
又、モータ１２は、コントローラ１５の制御によって、印画紙３を駒送りの状態で搬送する。
【００２０】
現像処理部１４には、図示を省略するが、露光済の印画紙３を現像処理するための複数の処理液を充填した複数の処理タンクと、現像処理の終了した印画紙３を各駒毎に切断するカッタとが備えられている。
【００２１】
フィルム２について、図２で説明する。ここで説明するフィルム２は、いわゆる先進写真システムで利用されるものであり、コマが写し込まれる画像領域２ａと、画像領域２ａの上下に設けられる磁気トラック（磁気記録面）２ｂと、パーフォレーション２ｃとからなる。フィルム２は、通常はカートリッジ１８に収納されており、フィルム引き出し部１８ａはライトロック１９（図３参照）により遮光されている。ライトロック開閉穴２１に駆動軸を差し込んでライトロック１９を開き、その後スプール２０を駆動することによりフィルム２を引き出すことができる。
【００２２】
図３は、フィルム搬送ユニット５の構成を模式的に示す断面図である。
搬送経路に沿って、駆動ローラ２４，２５，２６と圧着ローラ２７，２８，２９が設けられる。巻取り部３１が搬送経路の最も下流側に設けられ、カートリッジ１８から引き出されたフィルム２を巻取りスプール３２に巻取る。光センサ３０は発光部３０ａと受光部３０ｂとからなり、フィルム２の光学データを検出する。ネガマスク３３は、フィルム２の画像領域２ａのうち印画紙３に焼き付ける領域を規定する開口３３ａを有する。
又、図４に示されるように、フィルム２の磁気トラック２ｂに沿って、読み取り用磁気ヘッド３４、書き込み用磁気ヘッド３５、読み取り用磁気ヘッド３６、ダミーヘッド３７が配置されている。ダミーヘッド３７は、磁気トラック２ｂ上のほこりを除去するためのものであり、これにより磁気ヘッド３６による読み取り精度を改善しようとするものである。又、磁気ヘッド３４，３５，３６に対向して後で詳しく説明するバブルスプリング５７，５７が設けられており、これにより磁気ヘッド３４，３５，３６と磁気トラック２ｂとの接触を確実なものとしている。
【００２３】
［フィルム搬送ユニットの構成］
次に、露光部１３に備えられたフィルム搬送ユニット５の構成を説明する。
フィルム搬送ユニット５は、一対の枠体である上部ユニット４０と下部ユニット４１とを軸４２周りに枢支連結した構成としてあり、バネ４３により開き側に付勢されている。
上部ユニット４０と下部ユニット４１とが開いている状態を図５に示し、下部ユニット４１の平面図を図６に示す。
【００２４】
駆動ローラ２４，２５，２６が、フィルム２を搬送するために設けられる。フィルム２の画像面通過予定箇所を窪ませて、下部ガイド４９を形成し、フィルム２の左右両端部を案内支持する。モータ５２は、駆動ローラ２４，２５，２６をベルト５１を介して駆動する。更に図３のところで説明した、光センサ３０とネガマスク３３が備えられている。
【００２５】
磁気ヘッド装置４４は、先に説明した磁気ヘッド３４，３５，３６とダミーヘッド３７とを備えており、フィルム２の磁気トラック２ｂに磁気記録された情報を読み取ったり書き込んだりする。磁気ヘッド装置４４の構成の詳細は後述する。
下部クリーニングベルト４６とファン４８とは、フィルム面上のゴミを除去する除塵装置として機能する。又、駆動モーター５２は、不図示の伝達機構を介して下部クリーニングベルト４６を駆動する。
【００２６】
カートリッジ保持部９５には、支軸９７周りに回動可能なカートリッジホルダ９６と、カートリッジホルダ９６を開き方向に付勢するスイングバネ９８と、カートリッジホルダ９６を閉じた状態にロックする爪部材９９と、スプール支持軸１００と、ライトロック駆動軸１０１とを備えている。カートリッジホルダ９６には、カートリッジ１８を収納する収納部９６ａが形成されている。
【００２７】
上部ユニット４０の詳細は、図５に示される。フィルム２の画像面通過予定箇所を窪ませて、上部ガイド５０が設けられ、上記の下部ガイド４９と共にフィルム２の左右両端部を支持案内する。圧着ローラ２７，２８，２９は、上部ユニット４０と下部ユニット４１とが閉じている状態において夫々駆動ローラ２４，２５，２６と相対する位置に設置される。光センサ３０の発光部３０ａと相対する位置に、受光部３０ｂが設けられる。又、下部クリーニングベルト４６と相対する位置に上部クリーニングベルト４７が設けられる。この上部クリーニングベルト４７は、不図示のモーターと伝達機構により駆動される。
【００２８】
上部ユニット４０と下部ユニット４１とは、係合部４５により係合される。係合部４５は、下部ユニット４１に設けられた引っかけ部４５ａと、上部ユニット４０に設けられた爪部４５ｂにより構成される。
【００２９】
［磁気ヘッド装置の構成］
次に、磁気ヘッド装置４４の構成を説明する。
図７は、搬送経路の上流側からみた磁気ヘッド装置４４の図である。図８は、図７のIV−IV断面図である。磁気ヘッド装置４４は搬送経路の中心線Ｘに対して両側に第１装置４４ａ，第２装置４４ｂが設けられ、第１装置４４ａには前述した読み取り用磁気ヘッド３４と書き込み用磁気ヘッド３５が備えられ、第２装置には読み取り用磁気ヘッド３６とダミーヘッド３７が備えられている。基本的な構成は両装置４４ａ，４４ｂ共に同じであるので、主に第１装置４４ａについて以下説明をする。
図８に分かりやすく示されるように、第１装置４４ａは更に、磁気ヘッド３４，３５を支持するヘッドユニット５５と、フィルム２を磁気ヘッド３４，３５に対して押圧するバブルスプリング５７，５７を支持する押圧ユニット５６とを備えている。バブルスプリング５７は、フィルム２の磁気記録面を押圧する押圧部材として機能する。
【００３０】
図９は、図７のＨ方向からみた矢視図である。図９は、ヘッドユニット５５と押圧ユニット５６との結合構造を主に説明するための図である。図１０は、図７と同じ方向からみた断面図である。図１０の右半分は第１装置４４ａ側であり、図９のＶ−Ｖ断面図である。図１０の左半分は第２装置４４ｂ側であり、コードホルダ７２部分と回動軸７３部分の断面を示している。
ヘッドユニット５５は更に、第１ブロック５８と、第２ブロック５９とを備えている。両ブロック５８，５９は、ネジ６０，６１により結合されている（図９参照）。第１ブロック５８に磁気ヘッド３４，３５が取り付け支持されている。
【００３１】
図７のように、押圧ユニット５６は、フィルム２を磁気ヘッド３４，３５に対してガイドさせるフィルムガイド６３と、バブルスプリング５７が収納保持されるスプリングホルダ６４と、バブルスプリング５７の抜止めを行う抜止めプレート６５と、側面視略Ｌ字形のシールド板６６と、これら部材６３，６４，６５，６６をネジ６８により一体的に結合するためのスイングブロック６７とを備えている。
又、図１０の断面図にも示すように部材６３〜６６を位置決めするための位置決め軸６９が設けられている。この位置決め軸６９は、大径部６９ａと小径部６９ｂとを備えており、小径部６９ｂの先端部がＥリング７０により止められている。又、大径部６９ａには第２ブロック５９の当接部５９ａが当接しており、これによりヘッドユニット５５と押圧ユニット５６との相対位置精度を出すようにしている。
【００３２】
図１１は、磁気ヘッド部の詳細を示す。スプリングホルダ６４には、バブルスプリング５７が収納保持される保持部６４ａが一対形成されている。バブルスプリング５７は略Ｃ字形をしており、磁気ヘッド３４，３５をフィルム２が通過しないときは、その付勢力により接触部５７ａが磁気ヘッド面に接触している。図中矢印Ｃは、フィルム２が通過する基準面を示すものであり、図中矢印Ａ方向からフィルム２が搬送されてくると、バブルスプリング５７は図の一点鎖線の状態に変形させられる。これにより、フィルム２の磁気トラック２ｂと磁気ヘッド３４，３５との良好な接触状態を維持することができる。図中×××で示される部分はフィルムガイド６３（図７参照）のガイド面６３ａの形状を示すものである。
【００３３】
図９及び図１０に示されるように、ヘッドユニット５５は押圧ユニット５６に対して回動軸７１周りに、相対的に回動可能に構成されている。図１０のように、回動軸７１は両端が一対のＥリング７０により止められている。
ヘッドユニット５５の第２ブロック５９には、コードホルダ７２がホルダ止めビス７３により結合されている。コードホルダ７２は、磁気ヘッド３４，３５から出ているコード線を整理するためのものであるが、必ずしも必要な部材ではない。
ヘッドユニット５５と押圧ユニット５６とを結合するためにセットバネ７４が設けられている。セットバネ７４は、スペーサー７５を介して第２ブロックに対してセットバネ固定ビス７６により固定される固定部７４ａと、弾性変形可能な逆Ｓ字状に形成された変形部７４ｂと、位置決め軸６９の大径部６９ａに対して係合する係合凹部７４ｃとを備えている。この図９の状態では、ヘッドユニット５５と押圧ユニット５６とはセットバネ７４により係合しているが、係合凹部７４ｃの係合を解除操作してやると、ヘッドユニット５５を回動軸７１周りに押圧ユニット５６に対して図９の時計方向に相対的に回動させることができる。セットバネ７４は弾性変形し易いように合成樹脂で形成される。
【００３４】
第１装置４４ａと第２装置４４ｂの夫々のヘッドユニット５５，５５は共通のマウントプレート６２に対して支持されている。以下、マウントプレート６２に対する支持構造を説明する。マウントプレート６２は、一対のヘッドユニット５５，５５を取り付ける取付部材として機能する。図１２は、磁気ヘッド装置４４を上方から見たものであり、マウントプレート６２の形状が現れている。
【００３５】
ヘッドユニット５５の第１ブロック５８の上部には略円筒形状のボス部５８ａが設けられている。マウントプレート６２には、下リテーナ７７と上リテーナ７８とが固定取り付けされる。下リテーナ７７の中央部には大径ボス部７７ａが形成され、このボス部７７ａに上リテーナ７８が嵌合し、両者はかしめ等の方法で結合される。又、大径ボス部７７ａの中央に形成された貫通穴７７ｂに、第１ブロック５８のボス部５８ａが挿通している。図１２のように、貫通穴７７ｂは長円形をしており、ボス部５８ａは回動できるだけでなく、長円形に沿って移動することもできる。ボス部５８ａの上部には摺動プレート７９、ゴム８２、ワッシャー８０がユニット固定ビス８１により固定されている。これらの構成により、ヘッドユニット５５は図１２の矢印Ｄ方向のスライド移動と、矢印Ｅ方向の回動移動を行うことができる。
【００３６】
摺動プレート７９には、Ｕ字溝７９ａが形成されており、上リテーナ７８に一体形成されたボス７８ａが入り込んでおり、これにより上リテーナ７８の回動範囲、即ち、ヘッドユニット５５の回動範囲が規制される。又、図１０に示すように、第１ブロック５８にも同様のＵ字溝５８ｂが形成され、下リテーナ７７のボス７７ｃが入り込んでいる。又、マウントプレート６２の下面と第１ブロック５８の上面５８ｃとの間に４個の鋼球８３が、マウントプレート６２の上面と摺動プレート７９の下面との間にも４個の鋼球８３が設けられており、マウントプレート６２に対するヘッドユニット５５のスライド・回動移動をスムーズなものにしている。
【００３７】
図７のように、第１装置４４ａの第１ブロック５８と第２装置４４ｂの第１ブロック５８との間に引っ張りバネ８４が掛けられており、ヘッドユニット５５をスライド・回動移動させても、この図７で示される中立位置に復帰しようとさせられる。
以上のようなヘッドユニット５５と押圧ユニット５６とを動かせるようにした理由は次の通りである。フィルム２は、図７に示される第１ブロック５８の下部と、スプリングホルダ６４の上部との間に形成されるフィルム溝８５を通過するように構成されているが、フィルム２が通過するときに蛇行したり、又、フィルム２の幅の誤差を考慮する必要がある。上記の構成とすれば、フィルム２の上下端部から所定の位置に磁気ヘッド３４〜３６を配置させることができ、フィルム２の搬送状態のいかんに拘らず、精度の良い読み取り・書き込みが可能となる。
【００３８】
次に、磁気ヘッド装置４４のフィルム搬送ユニット５に対する取り付けを説明する。
図１０に示すように、マウントプレート６２の両端に、それぞれ取り付け装置９０が設けられている。
取り付け装置９０は、フィルム搬送ユニット５のベース台８６にブッシュ８８を介して固定ビス８９により固定される取付位置変更部材９１と、回転ブロック９２と、部材９１に対してマウントプレート６２を固定するためのプレート固定ネジ９３とを備えている。
【００３９】
取付位置変更部材９１は、第１ネジ部９１ａと、第２ネジ部９１ｂを備えており、第１ネジ部９１ａと固定ビス８９により部材９１がベース台８６に取付固定される。更に、第１ネジ部９１ａにプレート固定ネジ９３を螺合することにより、磁気ヘッド装置４４を通常使用状態にセッティングすることができる。固定ネジ９３を緩めて、磁気ヘッド装置４４を回転ブロック９２の回転中心周りに回転させて、第２ネジ部９１ｂに対して磁気ヘッド装置４４を固定することもできるようになっている（図１４参照）。回転ブロック９２には逃げ部９２ａが形成されており、固定ネジ９３を緩めたときのそのネジ部が退避できるようになっている。又、図１３（ｂ）に示されるように、スリット９１ｃが形成されており、固定ネジ９３を回動させることができるようになっている。
図１３に示す状態は、ヘッドユニット５５の磁気ヘッド３４，３５，３６が搬送経路に面する第１位置であると定義され、磁気ヘッド３４，３５，３６により磁気データの読み取り・書き込みができる。図１４に示す状態は、磁気ヘッド３４，３５，３６が搬送経路から離間した第２位置であると定義される。従って、取付位置変更部材９１は、ヘッドユニット５５を第１位置と第２位置との双方で固定可能なヘッドユニット固定部材として機能する。
【００４０】
［フィルム搬送ユニットの作動説明］
次に、上記説明したフィルム搬送ユニットの作動について簡単に説明する。
図５に示すように、フィルム搬送ユニット５を開いた状態にして、カートリッジ保持部９５にカートリッジ１８をセットする。その方法は、カートリッジホルダ９６の収納部９６ａにカートリッジ１８を保持させる。次に、スイング用バネ９８の付勢力に抗してカートリッジホルダ９６を閉じ（矢印Ｄ方向）ると、バネ１０２によりホルダ９６はバネ１０２により図５の矢印Ｅ方向に移動させられる。そうすると、カートリッジ１８のスプール２０にスプール支持軸１００が挿入され、ライトロック開閉穴２１にライトロック駆動軸１０１が挿入される。
【００４１】
次に、フィルム搬送ユニット５を閉じた状態とする。その後、所定のスタート信号により、ライトロック駆動軸１０１によりライトロック１９が開いた状態となり、スプール２０を駆動させることで、カートリッジ１８からフィルム２が引き出される。引き出されたフィルム２は、駆動モーター５２によって、図５または図６の矢印Ａ方向に搬送される。又、フィルム２の引出し動作に同期して、上下のクリーニングベルト４６，４７が駆動される。
【００４２】
引き出されたフィルム２は、まず、光センサー３０の部分を通過し、ここでフィルム２に光学的に記録された情報を読み取る。次に、上下のクリーニングベルト４６，４７の間を通過し、フィルム２の幅方向全域にわたって除塵作用が行われる。これにより、フィルム２の特に画像領域２ａの部分のゴミ等を除去する。除去されたゴミはファン４８により、フィルム搬送ユニット５の外部へと運び去られる。
【００４３】
上下のクリーニングベルト４６，４７を通過すると、磁気ヘッド装置４４へとフィルム２は搬送される。そして読み取り用磁気ヘッド３４，３６により磁気データの読み取りが行われる。又、場合により書き込み用磁気ヘッド３５により磁気データの書き込みがされる。読み取り用磁気ヘッド３６の上流側にはダミーヘッド３７が配置されているので、フィルム２の磁気トラック２ｂ上のゴミ、特に、凝固した現像処理液をかきとるようにして除去する。このように、情報を読み取る直前でゴミ、凝固した現像処理液を除去しているので、情報読み取りの精度をあげることができる。
【００４４】
フィルム２を図５の矢印Ａ方向に搬送し、全てのコマ２ａに対応する磁気記録された情報を読み取った後、一旦フィルム２を矢印Ｂ方向に搬送して巻戻す。そして、再びフィルム２を矢印Ａ方向に搬送し、露光部１００においてフィルム２の各コマ２ａを焼付け露光する。フィルム２の焼付露光をする際には、フィルム２のコマ２ａを開口３１ａに位置決め停止をさせて露光を行う。あるいは、図５の矢印Ｂ方向に巻戻しながら、焼付露光を行ってもよい。露光をする際の露光条件を決定するにあたり、先に読み取られた磁気データからの情報が利用される。
【００４５】
［磁気ヘッド装置のクリーニング］
次に、磁気ヘッド装置４４をクリーニングするときの方法について説明する。  まず、磁気ヘッド装置４４を取付固定しているプレート固定ネジ９３を二つとも緩める。つまり、図１３の状態で固定ネジ９３を緩め、固定ネジ９３を持ち上げると、これと一体的にヘッドユニット５５と押圧ユニット５６とが結合された状態の磁気ヘッド装置４４全体が持ち上げられる。そして、装置全体を回転ブロック９２の回転中心周りに、図１３の反時計方向に約１００度回転させる。
次に固定ネジ９３を回して第２ネジ部９２ｂに螺合させる（図１４参照）。この図１３、図１４では、分かりやすくするため、第１装置４４ａ又は第２装置４４ｂのみが示されている。この図１４の状態は、前述したように、ヘッドユニット５５の磁気ヘッド３４，３５，３６が搬送経路から離間した第２位置にある。ただし、ヘッドユニット５５と押圧ユニット５６とはまだ結合した状態である。
【００４６】
次に、図９に示されるセットバネ７４を操作し、その係合凹部７４ｃを位置決め軸６９の大径部６９ａから離脱させる。操作するに当たりセットバネ７４の変形部７４ｂが弾性変形するので、簡単に係合状態を解除することができる。セットバネ７４は、第１装置４４ａと第２装置４４ｂの両方にあるので、両方とも係合を解除する。次に、押圧ユニット５６を回動軸７１周りに、図１５の時計方向に回動させる。これによりヘッドユニット５５と押圧ユニット５６との相対位置関係が変更される。
【００４７】
図１３または図１４は、バブルスプリング５７が磁気ヘッド３４，３５，３６に対して接触可能な第１状態であり、図１５は、バブルスプリング５７が磁気ヘッド３４，３５，３６に対して離間した第２状態である。従って、セットバネ７４は、ヘッドユニット５５と押圧ユニット５６とを第１状態に保持するための保持部材として機能する。
図１５からも明らかなように、磁気ヘッド３４，３５のフィルム２との接触部３４ａ，３５ａが露出する。従って、アルコールを浸した綿棒により磁気ヘッドのクリーニング作業を楽に行うことができる。又、磁気ヘッド３４，３５以外の汚れもついでに拭き取ることができる。
クリーニング作業が終了すると、今までと逆の手順を踏めばよい。
このように、磁気ヘッド３４，３５，３６の取り付けやバブルスプリング５７の取り付けをユニット化しているので、取り扱いがきわめて便利なものとなった。
【００４８】
［別の実施形態についての説明］
更に、本発明の別実施形態について説明する。
ヘッドユニット５５に読み取り用と書き込み用の二つの磁気ヘッド３４，３５を支持しているが、いずれか一方のみであってもよい。
押圧部材の例としてバブルスプリング５７ではなく、従来技術で説明したようなパッドのようなものでもよい。
保持部材としてのセットバネ７４を、押圧ユニット５６に固定して、ヘッドユニット５５に対して係合させるような構成としても良い。
【図面の簡単な説明】
【図１】写真焼付装置の全体構成図
【図２】カートリッジから写真フィルムを引き出した状態を示す図
【図３】フィルム搬送ユニットの構成を模式的に示す断面図
【図４】写真フィルムと磁気ヘッドとの相対位置関係を示す図
【図５】フィルム搬送ユニットの外観斜視図
【図６】フィルム搬送ユニットの下部ユニットの平面図
【図７】搬送経路の上流側からみた磁気ヘッド装置の図
【図８】図７のIV−IV断面図
【図９】図７のＨ矢視図
【図１０】搬送経路の上流側からみた磁気ヘッド装置の断面図
【図１１】押圧ユニットの拡大図
【図１２】磁気ヘッド装置の平面図
【図１３】磁気ヘッド装置をフィルム搬送ユニットに固定するための装置を示す図
【図１４】図１３のヘッドユニットを第１位置から第２位置へと移動した図
【図１５】ヘッドユニットと押圧ユニットが第２状態であることを示す図
【符号の説明】
１      写真焼付装置
２      写真フィルム
２ａ    画像領域
２ｂ    磁気トラック（磁気記録面）
５      フィルム搬送ユニット
３４    読み取り用磁気ヘッド
３５    書き込み用磁気ヘッド
３６    読み取り用磁気ヘッド
３７    ダミーヘッド
４４    磁気ヘッド装置
４４ａ  第１装置
４４ｂ  第２装置
５５    ヘッドユニット
５６    押圧ユニット
５７    バブルスプリング
６２    マウントプレート
６３    フィルムガイド
６４    スプリングホルダ
６９    位置決め軸
７１    回動軸
７４    セットバネ
７４ａ  固定部
７４ｂ  変形部
７４ｃ  係合凹部
９０    取り付け装置
９１    取付位置変更部材
【図１】
0003642377.tif 000002
【図２】
0003642377.tif 000003
【図３】
0003642377.tif 000004
【図４】
0003642377.tif 000005
【図５】
0003642377.tif 000006
【図６】
0003642377.tif 000007
【図７】
0003642377.tif 000008
【図８】
0003642377.tif 000009
【図９】
0003642377.tif 000010
【図１０】
0003642377.tif 000011
【図１１】
0003642377.tif 000012
【図１２】
0003642377.tif 000013
【図１３】
0003642377.tif 000014
【図１４】
0003642377.tif 000015
【図１５】
0003642377.tif 000016